(57)【要約】【課題】プラント監視制御システムにおける表示装置へのプラント情報画面表示の操作性を向上させる。【解決手段】プラント監視制御システムは、表示装置で表示可能な複数のプラント情報画面それぞれについて作成されたプラント情報タイトル１７を一覧的に表示するメニュー画面１６を表示装置に表示し、この表示装置に表示のメニュー画面上でのプラント情報タイトルの選択指定で目的のプラント情報画面を表示装置に表示し、そのプラント情報画面に基づいてプラントの監視や制御を行うことができるようにされている。そしてそのプラント情報タイトルはメニュー画面上での表示領域が文字列タイトル表示領域１８とタイトル画像表示領域１９で構成され、文字列タイトル表示領域には、文字列タイトル２１を表示し、タイトル画像表示領域には、プラント情報画面の内容を表す画像として構成されるタイトル画像２３を表示できるようにされている。【選択図】  図２
2009116718.tif 000002
【特許請求の範囲】
【請求項１】
表示装置で表示可能な複数のプラント情報画面それぞれについて作成されたプラント情報タイトルを一覧的に表示するメニュー画面を前記表示装置に表示し、この表示装置に表示のメニュー画面上での前記プラント情報タイトルの選択指定で目的のプラント情報画面を前記表示装置に表示し、その表示装置に表示のプラント情報画面に基づいてプラントの監視や制御を行うことができるようにされているプラント監視制御システムにおいて、
前記プラント情報タイトルは、前記メニュー画面上での表示領域が文字列タイトル表示領域とタイトル画像表示領域で構成され、前記文字列タイトル表示領域には、文字列を用いて構成される文字列タイトルを表示し、前記タイトル画像表示領域には、前記プラント情報画面の内容を表す画像として構成されるタイトル画像を表示できるようにされていることを特徴とするプラント監視制御システム。
【請求項２】
前記タイトル画像表示領域に表示の前記タイトル画像の選択指定でも前記プラント情報画面の前記表示装置への表示を行うことができるようにされていることを特徴とする請求項１に記載のプラント監視制御システム。
【請求項３】
前記タイトル画像として、前記選択操作で表示されることになるプラント情報画面をそのまま縮小して生成される直接縮小画像、前記選択操作で表示されることになるプラント情報画面から抽出した特徴部分を縮小して生成される特徴部縮小画像、前記選択操作で表示されることになるプラント情報画面に含まれる機器シンボルを用いて生成される機器シンボル画像、前記選択操作で表示されることになるプラント情報画面の内容または前記文字列タイトルを簡略的に表す文字列を用いて生成される文字列画像、および自由に作成する画像を用いて生成される自由画像を含み、これら各タイプのタイトル画像を前記プラント情報画面の内容や種別に応じて使い分けることができるようにされていることを特徴とする請求項１または請求項２に記載のプラント監視制御システム。
【請求項４】
前記メニュー画面の表示要求を受けて前記メニュー画面を表示するのに先立ってメニュー画面表示準備処理を行うようにされ、そのメニュー画面表示準備処理は、前記表示要求の対象となっているメニュー画面について前記タイトル画像の表示指定の有無を判定する過程、前記過程でタイトル画像の表示指定ありとされたプラント情報画面についてその種別を判定する過程、前記過程で、プラントプロセスの現在状態データを表示する種別であるとされたプラント情報画面について、前記現在状態データを表示した現在状態表示プラント情報画面を生成する過程、および前記過程で生成した現在状態表示プラント情報画面について前記直接縮小画像または前記特徴部縮小画像を前記タイトル画像として作成する過程を含むことを特徴とする請求項３に記載のプラント監視制御システム。
【発明の詳細な説明】
【技術分野】
【０００１】
本発明は、プラントにおけるプロセスの監視や制御に用いられるプラント監視制御システムに係り、特にプラントプロセスの監視制御のためになされる表示装置へのプラント情報の表示に関する。
【背景技術】
【０００２】
例えば製造工場、発電所、下水処理場などのプラントでは、計算機システムを用いて構成されるプラント監視制御システムにより、プラントプロセスの監視や制御を行い、またプラントプロセスの保守なども行うようになっている。そしてそのプラント監視制御システムは、プラントプロセスの状態などに関する情報、例えばプラントプロセスを構成する各種機器の状態に関する情報やプラントプロセスに設けられている各種計測機器で得られるプロセスデータとしての情報などであるプラント情報をプラント情報画面として表示装置に表示し、そのプラント情報画面に基づいてプラントプロセスの監視制御を行えるようになっている。
【０００３】
こうしたプラント監視制御システムにおけるプラント情報画面の表示装置への表示は、メニュー画面で選択指定することで目的のプラント情報画面を表示するようになっている。すなわちプラント監視制御システムは、表示装置に表示可能なプラント情報画面のそれぞれについて作成してあるプラント情報タイトルを保持しており、そのプラント情報タイトルをメニュー画面で一覧的に表示できるようになっている。そのメニュー画面の表示は操作者の要求に応じてなされ、ニュー画面が表示されたら、操作者は、必要とするプラント情報画面をメニュー画面におけるプラント情報タイトルにより指定することで表示装置に表示させる。
【０００４】
このようなプラント情報画面の表示については、プラント情報を種別分して扱うのが通常である。プラント情報の種別としては、プラントプロセスにおける現在状態データをプラントプロセスの系統構造と関連付けた情報であるグラフィック情報、プラントプロセスにおける状態量などの経時的な変化に関する情報であるヒストリカルトレンド情報、プラントプロセスに対する操作履歴の情報である操作履歴情報、プラントプロセスについてのメッセージであるメッセージ情報、プラントプロセスにおける状態量などを帳票形態とした情報あるいはプラントプロセスについての日報などに関する情報である帳票情報、プラントプロセスで発生したアラームに関する情報であるアラーム情報などがある。そしてこれに応じてプラント情報画面は、グラフィック情報画面、ヒストリカルトレンド情報画面、操作履歴情報画面、メッセージ情報画面、帳票情報画面、アラーム情報画面などとして種別分けされており、メニュー画面は、こうしたプラント情報画面の種別に応じて複数種類で用意されるのが通常である。したがって上述のメニュー画面の表示要求は、必要な種類のメニュー画面を指定して行うことになるのが通常である。
【０００５】
一般に、プラント監視制御システムで扱うプラント情報は膨大な数になる。このためプラント情報画面の表示操作で用いるメニュー画面が含むプラント情報タイトルも大きな数になる。したがって操作者が必要とするプラント情報画面を表示させるには、目的のプラント情報画面をメニュー画面における多数のプラント情報タイトルから探し出す必要がある。この場合に、プラント情報タイトルが文字列タイトル、つまり文字列を用いて記述されたタイトルであることから、操作者がイメージしている内容の目的プラント情報画面とプラント情報タイトルの対応関係の判断、つまりプラント情報タイトルについての判断に時間がかかったり、またその判断をミスしたりする場合が少なくなく、このことがプラント情報画面表示操作の効率性を低下させる要因になっていた。
【０００６】
こうしたことから、プラント情報タイトルについての判断をより行い易くするための手法が提案されている。特許文献１に開示の例では、プラント情報タイトルとしてプラント情報画面から生成させる画像を用いるようにしている。すなわちプラント監視制御システムが表示のために保持しているプラント情報画面について、それをそのまま縮小してプラント情報画面縮小画面を作成し、このプラント情報画面縮小画面をプラント情報タイトルとしてメニュー画面に一覧表示するようにしている。このようにすることで、プラント情報画面の内容を直接的に表すプラント情報タイトルとすることができ、プラント情報タイトルについての判断が行い易くなる。なお、上述のようなプラント監視制御システムについては、例えば特許文献２や特許文献３に開示の例が知られている。
【０００７】
【特許文献１】特開昭６０−２２７２９４号公報
【特許文献２】特開２０００−８９８２１号公報
【特許文献３】特開２００６−３１３０１号公報
【発明の開示】
【発明が解決しようとする課題】
【０００８】
上述の特許文献１におけるようにプラント情報画面縮小画面をプラント情報タイトルとして用いる手法は、プラント情報画面表示操作の効率性を高める上でそれなりに有効である。しかし、この特許文献１の手法は、プラント情報タイトルとしてプラント情報画面縮小画面だけを用いており、そのことでプラント情報画面表示操作の効率性向上に限界がある。すなわちプラント監視制御システムで表示させるプラント情報画面には、類似したものが少なくない。そのためプラント情報画面縮小画面だけによるプラント情報タイトルであると、類似のプラント情報画面についてのプラント情報タイトルの判断に難があり、このことでプラント情報画面表示操作の効率性向上に限界がもたらされる。
【０００９】
本発明は、こうした知見に基づいてなされたものであり、その課題は、プラント監視制御システムにおけるプラント情報画面表示について、その操作性を向上させることにある。
【課題を解決するための手段】
【００１０】
本発明では、上記課題を解決するために、プラント情報画面ないしプラント情報の内容を画像化して得られるタイトル画像と文字列を用いて構成される文字列タイトルの並列表示でプラント情報タイトルを構成するものとしている。すなわち、タイトル画像と文字列タイトルの並列表示によるプラント情報タイトルとすることで、タイトル画像と文字列タイトルそれぞれが持つプラント情報タイトルの判断に関する欠点（プラント情報画面の内容をイメージし難いという文字列タイトルの欠点と類似のプラント情報画面についてのプラント情報タイトルの判断に難があるというタイトル画像の欠点）を互いに補わせ、このことによりプラント情報画面表示の操作性を向上させる。
【００１１】
具体的には本発明では、上記課題を解決するために、表示装置で表示可能な複数のプラント情報画面それぞれについて作成されたプラント情報タイトルを一覧的に表示するメニュー画面を前記表示装置に表示し、この表示装置に表示のメニュー画面上での前記プラント情報タイトルの選択指定で目的のプラント情報画面を前記表示装置に表示し、その表示装置に表示のプラント情報画面に基づいてプラントの監視や制御を行うことができるようにされているプラント監視制御システムにおいて、前記プラント情報タイトルは、前記メニュー画面上での表示領域が文字列タイトル表示領域とタイトル画像表示領域で構成され、前記文字列タイトル表示領域には、文字列を用いて構成される文字列タイトルを表示し、前記タイトル画像表示領域には、前記プラント情報画面の内容を表す画像として構成されるタイトル画像を表示できるようにされていることを特徴としている。
【００１２】
また本発明では、上記のようなプラント監視制御システムについて、前記タイトル画像表示領域に表示の前記タイトル画像の選択指定でも前記プラント情報画面の前記表示装置への表示を行うことができるようにしている。
【００１３】
このようにすることにより、プラント情報タイトルの選択指定について使い勝手が向上し、プラント情報画面表示の操作性をより向上させることができる。
【００１４】
また本発明では、上記のようなプラント監視制御システムについて、前記タイトル画像として、前記選択操作で表示されることになるプラント情報画面をそのまま縮小して生成される直接縮小画像、前記選択操作で表示されることになるプラント情報画面から抽出した特徴部分を縮小して生成される特徴部縮小画像、前記選択操作で表示されることになるプラント情報画面に含まれる機器シンボルを用いて生成される機器シンボル画像、前記選択操作で表示されることになるプラント情報画面の内容または前記文字列タイトルを簡略的に表す文字列を用いて生成される文字列画像、および自由に作成する画像を用いて生成される自由画像を含み、これら各タイプのタイトル画像を前記プラント情報画面の内容や種別に応じて使い分けるようにしている。
【００１５】
このようにすることにより、タイトル画像の表現能、つまりタイトル画像がプラント情報画面の内容を判りやすく表現する能力をプラント情報画面の種別に応じて高めることができる。そしてこのことにより、タイトル画像の機能性をより高めることができ、プラント情報画面表示の操作性をより向上させることができる。
【００１６】
また本発明では、上記のようなプラント監視制御システムについて、前記メニュー画面の表示要求を受けて前記メニュー画面を表示するのに先立ってメニュー画面表示準備処理を行うようにされ、そのメニュー画面表示準備処理は、前記表示要求の対象となっているメニュー画面について前記タイトル画像の表示指定の有無を判定する過程、前記過程でタイトル画像の表示指定ありとされたプラント情報画面についてその種別を判定する過程、前記過程で、プラントプロセスの現在状態データを表示する種別であるとされたプラント情報画面について、前記現在状態データを表示した現在状態表示プラント情報画面を生成する過程、および前記過程で生成した現在状態表示プラント情報画面について前記直接縮小画像または前記特徴部縮小画像を前記タイトル画像として作成する過程を含むものとしている。
【００１７】
このようにすることにより、タイトル画像と文字列タイトルの並列表示によるプラント情報タイトルの生成をより効率的に行うことができ、したがってプラント情報画面表示の操作性をより向上させることができる。
【発明の効果】
【００１８】
以上のような本発明によれば、プラント監視制御システムにおけるプラント情報画面表示について、その操作性を向上させることができる。
【発明を実施するための最良の形態】
【００１９】
以下、本発明を実施するための形態について説明する。図１に、一実施形態によるプラント監視制御システム１の構成を示す。プラント監視制御システム１は、プラント監視制御装置２を備えている。
【００２０】
プラント監視制御装置２は、ネットワークインターフェース部３を有し、このネットワークインターフェース部３を介してネットワーク４に接続され、さらにネットワーク４に接続するコントローラ５およびコントローラ５に接続するプロセスＩ／Ｏ装置６を介してプラントプロセス７における各種の機器８に接続され、機器８についての状態量や機器８で計測される計測データなどとして得られるプラント情報をプラント情報取得部９によりプラントプロセス７から取り込んでプラント情報画面として表示できるようにされている。ここで、プラント監視制御装置２は、プラント情報画面に基づいた操作者の操作を通じてプラントプロセスの監視制御を行うのに用いられるが、図１では、本発明に特徴的なプラント情報画面の表示についての構成を主に図示し、一般的な監視制御のための構成については図示を省略してある。
【００２１】
またプラント監視制御装置２は、プラント情報画面を表示するための表示装置１１を備えている。表示装置１１へのプラント情報画面の表示は、メニュー画面表示部１２とプラント情報画面表示部１３を用いて行われる。
【００２２】
プラント情報画面の表示処理では、まず図外の操作者が入力装置１４を介してメニュー画面の表示要求を行う。メニュー画面表示部１２は、メニュー画面の生成と表示のための機能部であり、メニュー画面表示要求を受けると、その要求に応じたメニュー画面を生成して表示装置１１に表示する処理を実行する。メニュー画面表示部１２によるメニュー画面生成表示処理では、メニュー画面データ格納部１５からそれが格納しているメニュー画面データを取得する。それから取得したメニュー画面データを用いて表示対象のメニュー画面を後述のようにして生成させ、表示装置１１に表示する。
【００２３】
ここで、プラント監視制御装置２が取得するプラント情報は、上述のように、種別分けして扱われるのが通常で、その種別としては、上述の例のようなグラフィック情報、ヒストリカルトレンド情報、操作履歴情報、メッセージ情報、帳票情報、アラーム情報などがある。またこれに応じてプラント情報画面は、グラフィック情報画面、ヒストリカルトレンド情報画面、操作履歴情報画面、メッセージ情報画面、帳票情報画面、アラーム情報画面などとして種別分けされる。そしてメニュー画面は、こうしたプラント情報画面種別に応じて複数種類で用意されるのが通常である。つまりメニュー画面は、グラフィック情報画面用メニュー画面、ヒストリカルトレンド情報画面用メニュー画面、操作履歴情報画面用メニュー画面、メッセージ情報画面用メニュー画面、帳票情報画面用メニュー画面、アラーム情報画面用メニュー画面などやこれらを適宜に混合した種別混合メニュー画面として複数種類が用意されるのが通常である。この場合、操作者により入力されるメニュー画面表示要求は、まず表示装置１１に例えばメニュー画面のタイトル一覧を表示させ、そのメニュー画面タイトル一覧で目的のメニュー画面を指定して行うことになる。
【００２４】
図２〜図４にメニュー画面の例を示す。図２の例はグラフィック情報画面用メニュー画面１６ｇｒ、図３の例はヒストリカルトレンド情報画面用メニュー画面１６ｈｉ、図４の例は種別混合メニュー画面１６ｍｉである。これらの例に見られるように、メニュー画面１６は、プラント情報タイトル１７を一覧的に表示するものとして構成されている。
【００２５】
プラント情報タイトル１７は、その表示領域が文字列タイトル表示領域１８と、この文字列タイトル表示領域１８に横方向で位置対応させて設けられるタイトル画像表示領域１９で構成されている。そして文字列タイトル表示領域１８には、文字列タイトル２１が表示され、タイトル画像表示領域１９には、図１におけるタイトル画像登録部２２を用いて後述のようにしてなされるタイトル画像登録処理でタイトル画像表示要求が登録されていることを条件にタイトル画像２３（タイトル画像２３ｄｉ、タイトル画像２３ｃｈ、タイトル画像２３ｓｙ、タイトル画像２３ｌｅなど）が表示される。したがってプラント情報タイトル１７は、互いに横方向で位置対応させて表示される文字列タイトル２１とタイトル画像２３が対となって構成される場合と、文字列タイトル２１だけで構成される場合があることになる。ここで、文字列タイトル２１は、プラント情報画面ないしそれに対応するプラント情報の内容などを文字列（テキストデータ）で記述して構成されるタイトル要素である。一方、タイトル画像２３は、プラント情報画面ないしそれに対応するプラント情報の内容を象徴的に表す画像（ビットマップデータやベクトルデータなど）として構成されるタイトル要素である。このタイトル画像２３は、プラント情報やプラント情報画面の内容や種別に応じて使分けることができるようにするために、タイプ分けされる。
【００２６】
タイトル画像２３のタイプとしては、対応のプラント情報画面（タイトル画像２３が構成するプラント情報タイトル１７に対応するプラント情報画面、以下同じ）をそのまま縮小して生成される直接縮小画像、対応のプラント情報画面から抽出した特徴部分を縮小して生成される特徴部縮小画像、対応のプラント情報画面に含まれる機器シンボルを用いて生成される機器シンボル画像、対応のプラント情報画面ないしそのプラント情報の内容またはタイトル画像と対になる文字列タイトル２１などを簡略的に表す文字列を用いて生成される文字列画像、操作者が自由に作成する画像を用いて生成される自由画像などがある。
【００２７】
ここで、文字列画像や自由画像では、プラント情報画面の間の関連性（例えばＡプラント情報画面を表示したら、それに関連するＢプラント情報画面を次ぎに表示するといった関連性、あるいは表示装置１１に複数のプラント情報画面を同時表示できる場合に、Ｃプラント情報画面を表示した状態ではＤプラント情報画面が同時表示されるといった関連性など）の情報をイメージ化するなどしてタイトル画像に含ませることができる。そしてそのようにタイトル画像を作成することで、プラント情報画面表示の操作性をより向上させることができる。
【００２８】
図２や図４のタイトル画像２３ｄｉは、直接縮小画像の例で、グラフィック情報画面の場合であり、図３や図４のタイトル画像２３ｃｈは、特徴部縮小画像の例で、ヒストリカルトレンド情報画面の場合であり、図２〜図４のタイトル画像２３ｓｙは、機器シンボル画像の例で、タービンと発電機設備の系統図のグラフィック情報画面についてタービンと発電機のシンボルを用いた場合であり、図２のタイトル画像２３ｌｅは、文字列画像の例で、「第２号機系統概要」として対応のプラント情報画面の内容を簡略的に表した場合であり、図３のタイトル画像２３ｌｅは、同じく文字列画像の例で、「ＮＯＲＭＡＬ」として対応のプラント情報画面の内容を簡略的に表した場合である。こうしたタイトル画像２３は、メニュー画面表示部１２によるメニュー画面の表示に際し、後述のようにして生成される。
【００２９】
上述のようなメニュー画面の表示装置１１への表示がなされると、操作者は、そのメニュー画面上でのプラント情報タイトル１７の指定を通じて必要とするプラント情報画面を指定する。メニュー画面で必要なプラント情報タイトル１７を指定する操作は、文字列タイトル２１とタイトル画像２３のいずれかをポインタやカーソルなどで指定することで行うことができる。プラント情報画面の指定がなされると、プラント情報画面表示部１３は、指定のプラント情報画面のプラント情報画面データをプラント情報画面データ格納部２４から取り出し、それを用いて表示対象のプラント情報画面を生成する。このプラント情報画面の生成処理は、プラント情報画面の種別により異なる。プラント情報画面がプラントプロセスの現在状態データを表示する種別、つまり現在状態表示プラント情報画面（例えばグラフィック情報画面）である場合は、プラント情報取得部９で得られるプラントプロセスの現在状態データをプラント情報画面データに組み合わせて現在状態表示プラント情報画面を生成する。一方、現在状態表示プラント情報画面以外のプラント情報画面である場合は、プラント情報画面データをそのまま用いて表示対象のプラント情報画面を生成する。このようにして表示対象のプラント情報画面を生成したら、プラント情報画面表示部１３は、それを表示装置１１に表示する。ここで、現在状態表示プラント情報画面のその代表的な例はグラフィック情報画面であり、グラフィック情報画面の場合は、グラフィック情報画面に含まれる機器シンボルに付すタグにデータ値を表示したり、あるいはグラフィック情報画面に含まれる機器シンボルの色付けを行ったりすることで、現在状態の表示がなされる。
【００３０】
図５に示すのは、図４の種別混合メニュー画面１６ｍｉでタイトル画像２３ｄｉをポインタＰで指定することで、第３号オーバビューのプラント情報画面２６が表示される関係である。この場合、タイトル画像２３ｄｉは、直接縮小画像であることから、プラント情報画面２６をそのまま縮小した画像となっている。なお、プラント情報画面２６は、グラフィック情報画面、つまりプラントプロセスにおける現在時の状態量などをプラントプロセスの系統構造などと関連付けた情報であるグラフィック情報についてのプラント情報画面であることから、プラントプロセスにおける現在時の状態量などがタグなどにより表示されたり、あるいは機器シンボルが色付けされたりすることになるが、図５ではその表示を省略してある。
【００３１】
図６に、タイトル画像登録部２２とメニュー画面表示部１２それぞれの構成を両者の関係とともに示す。タイトル画像登録部２２は、タイトル画像登録受付部２７、タイトル画像登録用メニュー画面表示部２８、タイトル画像指定部２９を含んでいる。
【００３２】
タイトル画像登録受付部２７は、例えばタイトル画像登録部２２のアイコンが表示装置１１に表示されている状態でそのアイコンが操作者により選択されることなどでタイトル画像の登録を受け付ける。
【００３３】
タイトル画像登録用メニュー画面表示部２８は、タイトル画像登録受付部２７による登録受付がなされるのを受けて、メニュー画面データ格納部１５からメニュー画面データを取得し、それを用いてタイトル画像登録用メニュー画面を後述のようにして生成させて表示する。タイトル画像登録用メニュー画面表示部２８によるタイトル画像登録用メニュー画面の表示は、上述のようにメニュー画面が複数種類ある場合、まずメニュー画面タイトル一覧を表示し、そのメニュー画面タイトル一覧で操作者が目的のメニュー画面を選択するのを受けて行うことになる。タイトル画像登録用メニュー画面が表示されたら、操作者は、そこに含まれているプラント情報タイトルからタイトル画像の表示要求の登録対象とするプラント情報タイトルを指定する。
【００３４】
タイトル画像指定部２９は、操作者による登録対象プラント情報タイトルの指定を受けて、タイトル画像のタイプを操作者が指定するための画面を表示する。図７に、その例を示す。図７の例では、タイトル画像タイプ指定ダイアログ３１がタイプ指定用画面として表示される場合である。タイトル画像タイプ指定ダイアログ３１は、指定可能なタイトル画像のタイプがタイプ名（図の例では自由画像、機器シンボル画像、文字列画像、直接縮小画像、特徴部縮小画像）で一覧的に表示されるとともに、各タイプ名に対応してチェックボタン３２が表示され、さらに確認のために表示要求登録対象のプラント情報画面の文字列タイトルを各タイプ名の下に表示できるようにされている。操作者は、タイトル画像タイプ指定ダイアログ３１で、チェックボタン３２を操作することでタイトル画像のタイプを指定する。
【００３５】
この指定操作でマニュアル生成タイプのタイトル画像、つまり機器シンボル画像、文字列画像、自由画像のように、操作者がタイトル画像の画像内容を個々に指定したり、作成したりしてタイトル画像の画像内容をマニュアル操作で作成する必要のあるタイトル画像が指定された場合には、画像内容の指定や作成のためのタイトル画像内容指定・作成画面がダイアログなどとして表示される。そしてそのタイトル画像内容指定・作成画面で画像内容の指定や作成を操作者が行い、例えばその結果がタイトル画像タイプ指定ダイアログ３１に表示された状態でＯＫボタン３３を押すことでタイトル画像の登録がなされる。一方、直接縮小画像、特徴部縮小画像のように、自動処理でプラント情報画面を縮小して得られる自動縮小生成タイプのタイトル画像を指定する場合には、その指定操作後にＯＫボタン３３を押すことでタイトル画像の登録がなされる。図７の例では、文字列タイトルが「第３号オーバビュー」であるプラント情報画面についてチェックボタン３２の操作で直接縮小画像が指定されており、タイプ名「直接縮小画像」の下に文字列タイトル「第３号オーバビュー」が表示されている。この状態でＯＫボタン３３を押せば、「第３号オーバビュー」のプラント情報画面のプラント情報タイトル１７についてタイトル画像２３ｄｉが登録される。
【００３６】
以上のような表示要求登録処理は、メニュー画面ごとに操作者が必要とする範囲で繰り返される。そしてそれによりメニュー画面データ格納部１５のメニュー画面データが更新される。図８に、メニュー画面データの構成例を示す。この例のメニュー画面データは、表形式になっており、例えばメニュー画面における表示順でプラント情報タイトルに付される番号を記録する番号欄３４、文字列タイトルを記録する文字列タイトル欄３５、タイトル画像の表示要求登録の有無と表示要求登録がある場合のタイトル画像のタイプを記録するタイトル画像タイプ欄３６、およびマニュアル作成された画像内容（これはタイトル画像原画でもある）を記録するタイトル画像内容欄３７を含んでいる。なお、タイトル画像の表示要求登録が「なし」であることのタイトル画像タイプ欄３６への記録は、例えばタイトル画像タイプ欄３６を空白にしたり、あるいは「なし」をタイトル画像タイプ欄３６に記録したりすることでなされる。
【００３７】
図６に戻る。メニュー画面表示部１２は、表示要求受付部４１、メニュー画面データ取得・判定部４２、第１タイトル画像生成部４３、第２タイトル画像生成部４４、プラント情報タイトル生成部４５、メニュー画面生成部４６、およびメニュー画面出力部４７を含んでいる。このメニュー画面表示部１２によるメニュー画面表示処理は、図９に示す流れでなされる。図９の場合、ステップ１０１〜ステップ１１９の各処理を含み、その内のステップ１０１〜ステップ１１８がメニュー画面表示準備処理となっている。
【００３８】
ステップ１０１では、表示要求受付部４１がメニュー画面の表示要求の発生を判定する。表示要求発生となった場合にはステップ１０２に進む。ステップ１０２では、表示要求の対象となっているメニュー画面のメニュー画面データをメニュー画面データ取得・判定部４２がメニュー画面データ格納部１５から取得する。ステップ１０３では、ステップ１０２で取得のメニュー画面データについて、それに含まれるプラント情報タイトルにタイトル画像の表示要求登録（表示指定）があるか判定する。
【００３９】
ステップ１０３で表示要求登録なしと判定された場合にはステップ１０４に進み、ステップ１０２で取得のメニュー画面データからメニュー画面生成部４６が図２〜図４の例のようなメニュー画面（ただし、タイトル画像表示領域１９には表示なし）を生成する。それからそのメニュー画面をメニュー画面出力部４７が表示装置１１に出力することでステップ１１９でのメニュー画面の表示がなされ、処理終了となる。
【００４０】
一方、ステップ１０３で表示要求登録ありと判定された場合にはステップ１０５に進む。ステップ１０５では、ステップ１０２で取得のメニュー画面データからNo.ｉ（ｉ＝１〜ｎ）のプラント情報タイトルのデータを取得する。
【００４１】
ステップ１０６では、ステップ１０５で取得のプラント情報タイトルデータについて、タイトル画像の表示要求登録があるか判定する。ステップ１０６で表示要求登録なしと判定された場合にはステップ１０５に戻る。一方、ステップ１０６で表示要求登録ありと判定された場合にはステップ１０７に進む。
【００４２】
ステップ１０７では、ステップ１０５でデータを取得のプラント情報タイトルにおけるタイトル画像を自動縮小生成タイプであるか否かについてメニュー画面データ取得・判定部４２が判定する。具体的には「タイトル画像が自動縮小生成タイプか？」として判定する。ステップ１０７で、自動縮小生成タイプでないと判定された場合にはステップ１０８に進む。ステップ１０８では、当該プラント情報タイトルのデータから画像内容、つまりタイトル画像原画をメニュー画面データ取得・判定部４２が取得する。それからステップ１０９で第２タイトル画像生成部４４がタイトル画像原画をタイトル画像表示領域１９に表示するサイズに調整することでタイトル画像を生成した後、ステップ１１６でプラント情報タイトル生成部４５がそのタイトル画像をタイトル画像表示領域１９に表示するための処理を行ってタイトル画像表示のプラント情報タイトルを生成する。
【００４３】
一方、ステップ１０７で自動縮小生成タイプであると判定された場合にはステップ１１０に進む。ステップ１１０では、タイトル画像が特徴部縮小画像タイプであるか否かについてメニュー画面データ取得・判定部４２が判定する。具体的には「タイトル画像が特徴部縮小画像タイプか？」として判定する。
【００４４】
ステップ１１０で、特徴部縮小画像タイプでないと判定された場合には、直接縮小画像タイプであるので、ステップ１１１に進む。ステップ１１１では、プラント情報取得部９を通じて現在のプラント情報を取得し、そのプラント情報を用いて直接縮小画像タイプのタイトル画像の元になるプラント情報画面を生成する。それから第１タイトル画像生成部４３がステップ１１１で生成のプラント情報画面をタイトル画像表示領域１９に表示するサイズに縮小することで直接縮小画像タイプのタイトル画像（直接縮小画像）を生成し（ステップ１１２）、その後ステップ１１６でプラント情報タイトル生成部４５がそのタイトル画像をタイトル画像表示領域１９に表示するための処理を行ってタイトル画像表示のプラント情報タイトルを生成する。
【００４５】
一方、ステップ１１０で、特徴部縮小画像タイプであると判定された場合には、ステップ１１３に進む。ステップ１１３では、第１タイトル画像生成部４３がプラント情報取得部９を通じて現在のプラント情報を取得し、そのプラント情報を用いて特徴部抽出画像の元になる画像を生成する。それから第１タイトル画像生成部４３がステップ１１４で特徴部抽出画像元画像から特徴部を抽出して特徴部抽出画像を生成し、さらにステップ１１５で特徴部抽出画像をタイトル画像表示領域１９に表示するサイズに縮小することで特徴部縮小画像タイプのタイトル画像（特徴部縮小画像）を生成した後、ステップ１１６でプラント情報タイトル生成部４５がそのタイトル画像をタイトル画像表示領域１９に表示するための処理を行ってタイトル画像表示のプラント情報タイトルを生成する。
【００４６】
ここで、特徴部抽出画像元画像からの特徴部の抽出は、特徴部縮小画像タイプのタイトル画像の代表的な例であるヒストリカルトレンド情報画面のプラント情報タイトル用のタイトル画像の場合であれば、例えばヒストリカルトレンドデータについて予め設定されている上限値や下限値を超えたり下回ったりしているデータ部分、あるいはヒストリカルトレンドデータについて予め設定されている単位時間あたりの変化量の上限値や下限値を超えたり下回ったりしているデータ部分を特徴部として定義し、この定義に基づいて行うことができる。
【００４７】
ステップ１１７では、現在処理中のメニュー画面に含まれるプラント情報タイトルの全てについて処理したか判定する。ステップ１１７での判定が否定的な場合には、ステップ１０５に戻り、ステップ１１７の判定が肯定的になるまで、ステップ１０５〜ステップ１１７の処理を繰り返す。
【００４８】
ステップ１１７の判定が肯定的になったらステップ１１８に進み、ステップ１１７までの処理で得られた各プラント情報タイトルによるメニュー画面をメニュー画面生成部４６が生成する。そしてステップ１１９でそのメニュー画面をメニュー画面出力部４７が表示装置１１に出力することでメニュー画面の表示がなされ、処理終了となる。
【００４９】
以上のようにプラント監視制御システム１では、文字列タイトル２１とタイトル画像２３の並列表示でプラント情報タイトル１７を構成し、このプラント情報タイトル１７の一覧表示としてメニュー画面１６を形成するようにしている。このため文字列タイトル２１とタイトル画像２３それぞれが持つプラント情報タイトルの判断に関する欠点、つまりプラント情報画面の内容をイメージし難いという文字列タイトル２１の欠点と類似のプラント情報画面についてのプラント情報タイトルの判断に難があるというタイトル画像２３の欠点を互いに補わせることができる。そしてこのことにより、プラント情報タイトルについての判断をより素早くできるようになり、したがってプラント情報画面表示について、その操作性を向上させることができる。
【００５０】
以上、本発明を実施するための形態について説明したが、これらは代表的な例に過ぎず、本発明は、その趣旨を逸脱することのない範囲で様々な形態で実施することができる。
【図面の簡単な説明】
【００５１】
【図１】一実施形態によるプラント監視制御システムの構成を示す図である。
【図２】グラフィック情報画面用メニュー画面の例を示す図である。
【図３】ヒストリカルトレンド情報画面用メニュー画面の例を示す図である。
【図４】種別混合メニュー画面の例を示す図である。
【図５】メニュー画面でタイトル画像を指定することでプラント情報画面が表示される関係を示す図である。
【図６】タイトル画像登録部とメニュー画面表示部の構成を示す図である。
【図７】タイトル画像タイプ指定ダイアログがメニュー画面に重ねて表示される例を示す図である。
【図８】メニュー画面データの構成例を示す図である。
【図９】メニュー画面表示処理の流れを示す図である。
【符号の説明】
【００５２】
１    プラント監視制御システム
１１    表示装置
１６    メニュー画面
１７    プラント情報タイトル
１８    文字列タイトル表示領域
１９    タイトル画像表示領域
２１    文字列タイトル
２３    タイトル画像
２３ｃｈ    特徴部縮小画像
２３ｄｉ    直接縮小画像
２３ｌｅ    文字列画像
２３ｓｙ    機器シンボル画像
【図１】
2009116718.tif 000003
【図２】
2009116718.tif 000004
【図３】
2009116718.tif 000005
【図４】
2009116718.tif 000006
【図５】
2009116718.tif 000007
【図６】
2009116718.tif 000008
【図７】
2009116718.tif 000009
【図８】
2009116718.tif 000010
【図９】
2009116718.tif 000011